(57)【要約】【課題】  スマートフォンの端子差込部に端子を差し込んで接続する電気ケーブルの先端部分を保護する保護カバーを提供する。【解決手段】  保護カバー１は、弾力性を有するカバー本体７と、カバー本体７の先端７ａから基端７ｂにかけて貫通してなる孔３と、を備えている。孔３の背面側７ｃは、カバー本体７の背部７ｄの先端７ａから基端７ｂにかけて、細い切れ目５が形成されてなることにより、カバー本体７の背部７ｄが左右に分離されている。孔３は、先端７ａから中央部７ｅにかけて大径部分３ａに形成され、かつ中央部７ｅから基端７ｂにかけて小径部分３ｂに形成されるとともに、中央部７ｅにおいて、段付き形状３ｃが形成されてなる。【選択図】  図２
0003215980.tif 000002
【実用新案登録請求の範囲】
【請求項１】
携帯型情報端末機器に設けられた端子差込部に先端を接続することができる電気ケーブルの先端部分を保護する保護カバーであって、
弾力性を有する合成樹脂によって構成されてなるカバー本体と、
前記カバー本体の先端から基端にかけて貫通してなる孔と、を備え、
前記孔の背面側において、前記カバー本体の背部の先端から基端にかけて、細い切れ目が形成されてなることにより、前記カバー本体の背部が左右に分離され、
前記孔は、前記先端から中央部にかけて大径に形成され、かつ前記中央部から前記基端にかけて小径に形成されるとともに、前記中央部において、段付き形状が形成されてなる
ことを特徴とする保護カバー。
【請求項２】
前記カバー本体の外形がキャラクターを模した形状に形成されてなる
ことを特徴とする請求項１に記載の保護カバー。
【考案の詳細な説明】
【技術分野】
【０００１】
本考案は、スマートフォン等の携帯型情報端末機器に設けられた端子差込部に接続して使用される電気ケーブルの先端部分を保護する保護カバーに関する。
【背景技術】
【０００２】
近年、スマートフォンの飛躍的な増加に伴って、特に、若年層における利用時間の増加が著しく、スマートフォンに内蔵された充電池の消費量が多くなることから、使用中の電池切れを防ぐために、たびたび充電しなければならないような状況となっている。
【０００３】
たとえば、スマートフォンを充電する場合、ＰＣ（パーソナルコンピュータ）、或いは充電器等から電気ケーブルを介して、電気ケーブルの先端部分のコネクタをスマートフォンの端子差込部に差し込むことにより充電が行われている。
【考案の概要】
【考案が解決しようとする課題】
【０００４】
しかし、充電をたびたび繰り返す内に、電気ケーブルの先端部分のコネクタとコードとの接合部分において、コードが頻繁に折り曲げられることにより疲労断線に至るという課題があった。
【０００５】
また、電気ケーブルの先端部分のコネクタのつまみ部分が小さいために、特に、手指が大きい使用者には、小さいつまみ部分が掴みにくく、スマートフォンの端子差込部に電気ケーブルの先端部分のコネクタを差し込むことに不便を感じるという課題もあった。
【課題を解決するための手段】
【０００６】
そこで、前記課題を解決するための手段として本考案に係る保護カバーは、携帯型情報端末機器に設けられた端子差込部に先端を接続することができる電気ケーブルの先端部分を保護する保護カバーであって、弾力性を有する合成樹脂によって構成されてなるカバー本体と、前記カバー本体の先端から基端にかけて貫通してなる孔と、を備え、前記孔の背面側において、前記カバー本体の背部の先端から基端にかけて、細い切れ目が形成されてなることにより、前記カバー本体の背部が左右に分離され、前記孔は、前記先端から中央部にかけて大径に形成され、かつ前記中央部から前記基端にかけて小径に形成されるとともに、前記中央部において、段付き形状が形成されてなることを特徴としている。
【０００７】
前記電気ケーブルの先端部分とは、前記電気ケーブルの先端のコネクタ、該コネクタとコードとの接合部分、および接合された該コードの一部を指している。
【０００８】
前記カバー本体は、弾力性を有する合成樹脂によって樹脂成形により形成されているので、本考案を使用する段階において、前記切れ目を手で広げて、前記孔に前記電気ケーブルのコードを前記カバー本体の背面側から差し込むことができる。差し込んだ状態で手を離すと、前記切れ目が元の閉じた状態に戻ることにより、前記弾力性によって前記コードを前記カバー本体に挟装することができる。
【０００９】
前記コードを挟装した状態で、前記コードを前記基端方向に引っ張って、前記電気ケーブルの前記コードよりも幅広に形成されてなる前記コネクタを前記孔内に引き入れていくと、前記コネクタの基端である前記コネクタと前記コードとの接合部分が前記段付き形状に当接して止まることによって、前記孔内における前記コネクタの位置が決まることになる。
【００１０】
前記コネクタの位置が決まることによって、前記端子差込部に差し込むための前記コネクタの端子を前記孔の前記先端側の外側に突出させることができる。さらに、前記コードが前記孔の前記基端側へ引き出される構成としているので、前記保護カバーで前記電気ケーブルの前記コネクタと前記コードの接合部分を確実に覆って保護することができる。
【００１１】
この場合、前記孔を構成する前記大径は、前記コネクタを挿通してフィットできるように、前記コネクタの断面形状に合わせて、長円形、若しくはそれに準じた長方形になっていることが好ましく、同様に、前記小径も、前記コードの断面形状に合わせて、円形になっていることが好ましい。
【００１２】
前記孔の構成のように、前記孔を前記コネクタおよび前記コードの断面形状に合わせた形状に形成しているので、前記カバー本体の前後の厚みを薄く形成できることにより、前記カバー本体の小型化が可能となって、軽く、かつ掴み易い前記保護カバーを形成することができる。
【００１３】
前記保護カバーを使用する場合は、前記電気ケーブルの先端部分に前記保護カバーを取り付けた状態で、使用者が前記保護カバーを掴んで、前記携帯型情報端末機器に設けられた端子差込部に、前記カバー本体から突出した前記コネクタの端子を簡単に差し込むことができる。そのため、前記電気ケーブルの差し込み時に前記コネクタと前記コードとの接合部分の折り曲げを防止することができる。
【００１４】
また、前記カバー本体の外形がキャラクターを模した形状に形成されてなることとしても良い。キャラクター以外のバリエーションとして、犬、ネコ、ウサギ、或いは動物以外であっても良く、それらのデザインにより、前記保護カバーに親近感を醸し出すことができる。
【００１５】
なお、前記カバー本体の外形がキャラクターを模した形状および配色にする場合、キャラクターが発するセリフを表す文字を雲形イラスト等で表現することにしても好ましい。
【考案の効果】
【００１６】
本考案の保護カバーによれば、カバー本体の孔が段付き形状に形成されてなるので、電気ケーブルの先端部分を取り付ける際、電気ケーブルのコネクタが段付き形状に当接して止まることによって、孔内におけるコネクタの位置が決まることになり、コネクタとコードとの接合部分を確実に保護することができる。
【００１７】
また本考案の保護カバーによれば、電気ケーブルの先端部分を覆って保護することにより、コネクタとコードとの接合部分におけるコードの折り曲げがなくなるので、その部分のコードの疲労断線が解消される。また、カバー本体に弾力性があるので、カバー本体の基端側から引き出されたコードの折り曲げに対しても疲労断線が大幅に改善される。
【００１８】
また本考案の保護カバーによれば、スマートフォンを充電する際に、電気ケーブルの先端部分のコネクタの小さいつまみ部分を掴むのではなく、電気ケーブルに取り付けた掴み易い保護カバーを掴んで、スマートフォンの端子差込部に電気ケーブルの先端部分のコネクタの端子を差し込むことができるので、手指が大きい使用者にとっても電気ケーブルを掴み易く、使い勝手が良くなる。
【００１９】
さらに本考案の保護カバーによれば、保護カバーは、外形がキャラクターを模した形状で形成されてなるので、使用者が親近感を感じる保護カバーを提供することができる。
【図面の簡単な説明】
【００２０】
【図１】本考案の保護カバーの一実施例を示し、保護カバー１の正面側から見た斜視図（ａ）、および背面側から見た斜視図（ｂ）である。
【図２】本考案の保護カバーの一実施例を示し、保護カバー１の正面図（ａ）、背面図（ｂ）、平面図（ｃ）、底面図（ｄ）、右側面図（ｅ）、およびＡ−Ａ断面図（ｆ）である。
【図３】本考案の保護カバーの使用方法を示し、保護カバー１の孔３に矢印方向から電気ケーブルＫのコード１３を差し込む方法を説明するために、保護カバー１と電気ケーブルＫを背面側から見た参考斜視図である。
【図４】図３の次の段階で、保護カバー１の孔３にコード１３を差し込んだ状態（ａ）から、電気ケーブルＫのコード１３を矢印方向に引っ張って、コネクタ１５とコード１３との接合部分１１が段付き形状３ｃに当接して止まることにより、コネクタ１５の位置が決まる状態（ｂ）を説明するための参考正面図である。
【図５】図２のＡ−Ａ拡大断面図であり、図４（ｂ）のコネクタ１５とコード１３との接合部分１１が段付き形状３ｃに当接して止まっている状態を示す想像図である。
【図６】図４（ｂ）の参考斜視図で、保護カバー１を電気ケーブルＫの先端部分に取り付けて、端子１７が保護カバー１から突出した状態の参考斜視図である。
【図７】本考案の保護カバーの使用状態を示し、保護カバー１を電気ケーブルＫに取付けて、保護カバー１を掴んで、スマートフォンＳの端子差込部Ｔに電気ケーブルＫの端子１７を差し込んだ状態の参考正面図である。
【考案を実施するための形態】
【００２１】
以下、本考案に係る実施の形態を図１乃至図７を参照しながら詳しく説明する。
【００２２】
本考案の保護カバー１は、図１および図２に示すように、カバー本体７と、カバー本体７の先端７ａから基端７ｂにかけて貫通してなる孔３と、から構成されている。
【００２３】
カバー本体７は、孔３の背面側７ｃにおいて、カバー本体７の背部７ｄの先端７ａから基端７ｂにかけて、細い切れ目５が形成されてなることにより、カバー本体７の背部７ｄが左右に分離されている。
【００２４】
孔３は、先端７ａから中央部７ｅにかけて大径部分３ａに形成され、かつ中央部７ｅから基端７ｂにかけて小径部分３ｂに形成されるとともに、中央部７ｅにおいて、段付き形状３ｃが形成されている。
【００２５】
また、図２および図３に示すように、先端７ａ側の孔３を構成する大径部分３ａは、コネクタ１５を挿通してフィットできるように、コネクタ１５のつまみ部分１５ａの断面形状に合わせて、長円形になっているとともに、同様に、基端７ｂ側の孔３を構成する小径部分３ｂは、コード１３の断面形状に合わせて、円形になっている。
【００２６】
カバー本体７は、エラストマー等の弾力性を有する合成樹脂によって樹脂成形により形成されている。また、カバー本体７は、キャラクターを模した形状９に形成されるとともに、キャラクターが発するセリフを表す文字としてイラスト９ａで表現されている。
【００２７】
このようにしてなる保護カバー１は、使用する段階において、図３に示すように、カバー本体７に弾力性があるので、切れ目５を手で広げて（図示せず）、孔３に電気ケーブルＫのコード１３をカバー本体７の背面側７ｃから矢印方向に差し込むことができる。
【００２８】
差し込んだ状態で手を離すと、切れ目５が元の閉じた状態に戻ることにより、カバー本体７の弾力性によってコード１３を挟装することができる。
【００２９】
図４（ａ）に示すように、コード１３を挟装した状態で、コード１３をカバー本体７の基端７ｂ方向に引っ張ってコネクタ１５を孔３内に引き入れていくと、図４（ｂ）に示すように、電気ケーブルＫの接合部分１１が段付き形状３ｃに当接して止まることにより、孔３内におけるコネクタ１５の位置が決まることになる。
【００３０】
電気ケーブルＫの先端部分とは、電気ケーブルＫの先端のコネクタ１５、コネクタ１５とコード１３との接合部分１１、および接合されたコード１３の一部を指し、図５および図６に示すように、接合部分１１が段付き形状３ｃに当接してコネクタ１５の位置が決まることによって、コネクタ１５とコード１３との接合部分１１を含めた電気ケーブルＫの先端部分を確実に保護することができる。
【００３１】
このようにしてなる保護カバー１は、図７に示すように、保護カバー１を軽く掴んで、スマートフォンＳの端子差込部Ｔに電気ケーブルＫの端子１７を簡単に差し込むことができる。なお、コネクタ１９をＰＣ（パーソナルコンピュータ）のＵＳＢポート（図示せず）に差し込むことにより充電が開始されることになる。
【００３２】
このように本考案の保護カバー１によれば、保護カバー１で電気ケーブルＫの接合部分１１を覆って保護するので、コード１３が挟装できることにより、コード１３の疲労断線が解消できる。また、手指が大きい使用者にとっても、保護カバー１を手で簡単に掴むことができることにより、端子差込部Ｔに端子１７を差し込むことに不便を感じることがなくなるという使い勝手の良い保護カバー１を提供することができる。
【符号の説明】
【００３３】
１    保護カバー
３    孔
３ａ    大径部分
３ｂ    小径部分
３ｃ    段付き形状
５    切れ目
７    カバー本体
７ａ    先端
７ｂ    基端
７ｃ    背面側
７ｄ    背部
７ｅ    中央部
９    キャラクターを模した形状
９ａ    イラスト
１１    接合部分
１３    コード
１５    コネクタ
１５ａ    つまみ部分
１７    端子
１９    コネクタ
Ｋ    電気ケーブル
Ｓ    スマートフォン
Ｔ    端子差込部
【図１】
0003215980.tif 000003
【図２】
0003215980.tif 000004
【図３】
0003215980.tif 000005
【図４】
0003215980.tif 000006
【図５】
0003215980.tif 000007
【図６】
0003215980.tif 000008
【図７】
0003215980.tif 000009